(57)【要約】【課題】組立て作業性が良好であり、装着時にシール部品を入れ忘れることがなく、製造工程が容易でコスト的にも有利なガスケットを提供する。【解決手段】基板１の片面または両面にシール材としてのゴム層５を設けたガスケットであって、ゴム層５がスクリーン印刷法により基板１のシール部分のみに被着されて両者が一体化されている。また、ゴム層５はスクリーン印刷法により基板１に被着されて両者が一体化されている。また、ゴム層５は基板１のシール部分のみに被着されて両者が一体化されている。【選択図】図１
2005291502.tif 000002
【特許請求の範囲】
【請求項１】
基板（１）の片面または両面にシール材としてのゴム層（５）を設けたガスケットであって、
前記ゴム層（５）は、スクリーン印刷法により前記基板（１）のシール部分のみに被着されて両者（１）（５）は一体化されていることを特徴とするガスケット。
【請求項２】
基板（１）の片面または両面にシール材としてのゴム層（５）を設けたガスケットであって、
前記ゴム層（５）は、スクリーン印刷法により前記基板（１）に被着されて両者（１）（５）は一体化されていることを特徴とするガスケット。
【請求項３】
基板（１）の片面または両面にシール材としてのゴム層（５）を設けたガスケットであって、
前記ゴム層（５）は、前記基板（１）のシール部分のみに被着されて両者（１）（５）は一体化されていることを特徴とするガスケット。
【請求項４】
基板（１）の片面または両面にシール材としてのゴム層（５）をスクリーン印刷法によりシール部分にのみ成形一体化してなることを特徴とするシール組立て品。
【請求項５】
基板（１）の片面または両面にシール材としてのゴム層（５）をスクリーン印刷法によりシール部分にのみ成形一体化し、ついで組み立てることを特徴とするシール組立て品の製造方法。
【発明の詳細な説明】
【技術分野】
【０００１】
本発明は、密封装置の一種であるガスケット、シール組立て品およびその製造方法に関するものである。本発明のガスケットおよびシール組立て品は例えば、パソコンのハードディスクドライブ用のトップカバーであるカバー兼用ガスケットとして用いられ、またはその他一般のガスケットないしカバー兼用ガスケットとして用いられる。
【背景技術】
【０００２】
パソコンのハードディスクドライブ用トップカバーであるカバー兼用ガスケットにおいては、従来、図３に示すように、金属板または制振鋼板製のトップカバー５１とラバーガスケット５２とを別体で成形し、両部品５１，５２を装着時に組み合わせている。
【０００３】
したがって、この従来技術によると、部品点数が二点であるために組立て作業性が良くなく、装着時にラバーガスケット５２を入れ忘れる可能性があり、またコスト的にも割高である不都合がある。また、ラバーガスケット５２にへたりが発生することにより取付けボルト（図示せず）に緩みが発生することがあり、これを原因としてシール性および耐久性に支障を来すこともある。
【０００４】
また、他の従来技術として、粘着テープを使用してラバーガスケットをトップカバーに固定したり、あるいはラバーガスケットをトップカバーに焼き付けたりするものもあるが、何れも製造工程が複雑であるために、やはりコスト的に割高となるのを避けることができないものである。
【発明の開示】
【発明が解決しようとする課題】
【０００５】
本発明は以上の点に鑑み、組立て作業性が良好であり、装着時にシール部品を入れ忘れることがなく、製造工程が容易でコスト的にも有利なガスケット、シール組立て品およびその製造方法を提供することを目的とする。
【課題を解決するための手段】
【０００６】
上記目的を達成するため、本発明の請求項１によるガスケットは、基板の片面または両面にシール材としてのゴム層を設けたガスケットであって、前記ゴム層は、スクリーン印刷法により前記基板のシール部分のみに被着されて両者は一体化されていることを特徴とするものである。
【０００７】
また、本発明の請求項２によるガスケットは、基板の片面または両面にシール材としてのゴム層を設けたガスケットであって、前記ゴム層は、スクリーン印刷法により前記基板に被着されて両者は一体化されていることを特徴とするものである。
【０００８】
また、本発明の請求項３によるガスケットは、基板の片面または両面にシール材としてのゴム層を設けたガスケットであって、前記ゴム層は、前記基板のシール部分のみに被着されて両者は一体化されていることを特徴とするものである。
【０００９】
また、本発明の請求項４によるシール組立て品は、基板の片面または両面にシール材としてのゴム層をスクリーン印刷法によりシール部分にのみ成形一体化してなることを特徴とするものである。
【００１０】
更にまた、本発明の請求項５によるシール組立て品の製造方法は、基板の片面または両面にシール材としてのゴム層をスクリーン印刷法によりシール部分にのみ成形一体化し、ついで組み立てることを特徴とするものである。
【００１１】
上記構成を備えた各請求項に係る発明においては、基板とゴム層とによる積層体が構成され、この積層体が一部品として数えられるとともに纏めて取り扱われることになる。
【発明の効果】
【００１２】
本発明は、以下の効果を奏する。
【００１３】
すなわち、本願の各請求項に係る発明においては、基板にゴム層が被着されて両者が一体化されているために、部品点数が一点であり、ガスケット全体が常に纏めて取り扱われる。したがって、従来技術と比較して部品点数を削減することができ、これにより組立て作業性を向上させることができる。また、従来技術のように装着時にシール部品を入れ忘れることもない。
【００１４】
また、ゴム層がスクリーン印刷法により被着されると、製造工程を容易化することができ、コスト的にも有利な製品を提供することができる。
【００１５】
また、ゴム層が基板のシール部分のみに被着されると、ボルト締結部がある場合にはこれを避けることで、ゴムのへたりによる取付けボルトの緩みの発生を防止することができ、これによりシール性および耐久性を向上させることができる。また、ゴム層が必要最小限のシール部分のみに被着されるために、ゴム材料費を低く抑えることができる。
【発明を実施するための最良の形態】
【００１６】
つぎに本発明の実施形態を図面にしたがって説明する。
【００１７】
図１は、当該実施形態に係るガスケットの斜視図であって、そのＡ−Ａ線拡大断面が図２に示されている。
【００１８】
当該実施形態に係るガスケットは、パソコンのハードディスクドライブ用トップカバーであるカバー兼用ガスケットとして用いられるものであって、以下の構成を備えている。
【００１９】
すなわち先ず、平面略長方形状を呈する金属製の基板（基材とも称する）１が設けられており、この基板１の片面である内面（図上上面）１ａにシール材としての発泡ゴム層５が設けられており、この発泡ゴム層５が、スクリーン印刷法（スクリーンコート法とも称する）により基板１の内面１ａのシール部分のみにコーティングされた弗素発泡ゴム６により成形されている。シール部分は、装着時に相手材（図示せず）に密接してシール作用を成す部分である。相手材は例えばケースであって、このケースとカバー兼用ガスケットとが組み立てられてシール組立て品であるＨＤＤの筐体とされる。
【００２０】
基板１は、金属板をプレス成形したものであって、その平面レイアウトの周縁部に所要数（図上六箇所）のボルト挿通孔（ボルト締結部とも称する）２が形成されており、この所要数のボルト挿通孔２の内側に位置して発泡ゴム層５が帯状にかつエンドレス状にコーティングされており、この発泡ゴム層５の更に内側にトップカバーとして必要な孔部３、凹部または凸部４等の立体構造が形成されている。発泡ゴム層５は、図２に示したように所定の幅および高さを備えて断面略台形状に成形されており、内部に多数の気泡室７が形成されている。基板１の内面１ａのうち、発泡ゴム層５がコーティングされていない部分は、金属板がそのまま表面露出している。
【００２１】
上記構成を備えたガスケットは、上記したようにパソコンのハードディスクドライブ用トップカバーであるカバー兼用ガスケットとして用いられるものであって、上記構成により以下の作用効果を奏する点に特徴を有している。
【００２２】
すなわち先ず第一に、基板１に発泡ゴム層５がコーティングされていて両者が一体化されているために、部品点数が一点であり、ガスケット全体が常に纏めて取り扱われることになる。したがって上記従来技術と比較して部品点数を削減することができ、これにより組立て作業性を向上させることができる。また従来技術のように装着時にシール部品を入れ忘れることもない。
【００２３】
第二に、発泡ゴム層５が基板１の内面１ａのシール部分のみにコーティングされているために、ボルト締結部２を避けることで、ゴムのへたりによる取付けボルトの緩みの発生を防止することができ、これによりシール性および耐久性を向上させることができる。また発泡ゴム層５が必要最小限のシール部分のみにコーティングされるために、ゴム材料費を低く抑えることができる。
【００２４】
また、発泡ゴム層５がスクリーン印刷法によりコーティングされるために、製造工程を容易化することができ、コスト的にも有利な製品を提供することができる。
【００２５】
また、発泡ゴム層５として弗素発泡ゴム６が使用されているために、電子機器分野で問題となるゴムからのアウトガスの発生を防止することができ、併せて弗素の耐熱性と発泡の弾性力とによりシール性および耐久性を向上させることができる。
【図面の簡単な説明】
【００２６】
【図１】本発明の実施形態に係るガスケットの斜視図
【図２】図１におけるＡ−Ａ線拡大断面図
【図３】従来例に係るガスケットの分解斜視図
【符号の説明】
【００２７】
１  基板
２  ボルト挿通孔
３  孔部
４  凸部
５  発泡ゴム層
６  弗素発泡ゴム
７  気泡室
【図１】
2005291502.tif 000003
【図２】
2005291502.tif 000004
【図３】
2005291502.tif 000005